(57)【要約】【課題】表示装置を持ち運ぶ際に、バックカバーの変形を抑制できるようにする。【解決手段】表示装置は、平面視多角形状の表示パネル２と、表示パネルの背面２ｂ側に配された平面視多角形状のバックカバー３と、平面視多角形の環状に形成され、表示パネルの側面を覆うサイドベゼル４と、表示パネルとバックカバーとの間において、サイドベゼルの角部の内側に一体に形成され、表示パネルの背面に対向するバックカバーの内面のうちバックカバーの角部の近傍領域に面接触して近傍領域を支持するカバー支持部５と、を備える。【選択図】図２
2018072360.tif 000002
【特許請求の範囲】
【請求項１】
平面視多角形状の表示パネルと、
前記表示パネルの背面側に配された平面視多角形状のバックカバーと、
平面視多角形の環状に形成され、前記表示パネルの側面を覆うサイドベゼルと、
前記表示パネルと前記バックカバーとの間において、前記サイドベゼルの角部の内側に一体に形成され、前記表示パネルの背面に対向する前記バックカバーの内面のうち前記バックカバーの角部の近傍領域に面接触して前記近傍領域を支持するカバー支持部と、
を備える表示装置。
【請求項２】
前記カバー支持部が、前記表示パネルの背面に接触している請求項１に記載の表示装置。
【請求項３】
前記カバー支持部が、
前記バックカバーの内面に面接触する接触面、及び、前記表示パネルの背面に対向する対向面を有する支持部本体と、
前記対向面から前記表示パネルの背面まで延びる支持脚と、を備える請求項２に記載の表示装置。
【請求項４】
複数の前記支持脚が、平面視で前記サイドベゼルの角部から前記サイドベゼルの内側に向かう方向に一列に並んでいる請求項３に記載の表示装置。
【請求項５】
前記カバー支持部が、
前記バックカバーの内面に面接触する接触面、及び、前記表示パネルの背面に対向する対向面を有する支持部本体と、
前記支持部本体から前記サイドベゼルまで延びる接続腕と、を備え、
前記接続腕が、前記サイドベゼルの内縁に沿って互いに間隔をあけて複数配列されている請求項１から請求項４のいずれか一項に記載の表示装置。
【請求項６】
平面視多角形状の表示パネルと、
前記表示パネルの背面側に配された平面視多角形状のバックカバーと、
平面視多角形の環状に形成され、前記表示パネルの側面を覆うサイドベゼルと、
を備える表示装置において前記バックカバーの一部を支持するカバー支持方法であって、
前記表示パネルと前記バックカバーとの間において前記サイドベゼルの角部の内側に、カバー支持部を一体に形成し、
前記カバー支持部を、前記表示パネルの背面に対向する前記バックカバーの内面のうち前記バックカバーの角部の近傍領域に面接触させることで、前記カバー支持部によって前記近傍領域を支持するカバー支持方法。
【発明の詳細な説明】
【技術分野】
【０００１】
本発明は、表示装置及びカバー支持方法に関する。
【背景技術】
【０００２】
従来、液晶表示装置等のように板状の外観を有する表示装置には、作業者が表示装置を持ち運ぶ際に把持するハンドルを設けたものがある（例えば特許文献１参照）。
【先行技術文献】
【特許文献】
【０００３】
【特許文献１】米国特許出願公開第２０１１／０３１７３４５号明細書
【発明の概要】
【発明が解決しようとする課題】
【０００４】
ところで、近年では、ハンドルを把持しなくても持ち運ぶことが可能な程度に、表示装置の軽量化や薄型化が進展している。具体的に、作業者が表示装置を持ち運ぶ際には、平面視多角形の板状に形成された表示装置の角部を把持することが多い。
しかしながら、表示装置の軽量化や薄型化に伴って、表示パネルの背面を覆うバックカバーの薄肉化が進み、また、バックカバーが凹凸の少ない平坦な形状となると、バックカバーの強度が低下してしまう。このため、持ち運びの際に表示装置の角部の近傍部分を強く把持すると、バックカバーが表示装置の外側から凹んでしまう、すなわち、バックカバーが変形してしまう可能性がある。
【０００５】
本発明は、上述した事情に鑑みたものであって、持ち運びの際にバックカバーの変形を抑制できる表示装置、及び、カバー支持方法を提供することを目的とする。
【課題を解決するための手段】
【０００６】
本発明の表示装置は、平面視多角形状の表示パネルと、前記表示パネルの背面側に配された平面視多角形状のバックカバーと、平面視多角形の環状に形成され、前記表示パネルの側面を覆うサイドベゼルと、前記表示パネルと前記バックカバーとの間において、前記サイドベゼルの角部の内側に一体に形成され、前記表示パネルの背面に対向する前記バックカバーの内面のうち前記バックカバーの角部の近傍領域に面接触して前記近傍領域を支持するカバー支持部と、を備えることを特徴とする。
【０００７】
本発明のカバー支持方法は、平面視多角形状の表示パネルと、前記表示パネルの背面側に配された平面視多角形状のバックカバーと、平面視多角形の環状に形成され、前記表示パネルの側面を覆うサイドベゼルと、を備える表示装置において前記バックカバーの一部を支持するカバー支持方法であって、前記表示パネルと前記バックカバーとの間において前記サイドベゼルの角部の内側に、カバー支持部を一体に形成し、前記カバー支持部を、前記表示パネルの背面に対向する前記バックカバーの内面のうち前記バックカバーの角部の近傍領域に面接触させることで、前記カバー支持部によって前記近傍領域を支持することを特徴とする。
【発明の効果】
【０００８】
本発明によれば、作業者が表示装置を持ち運ぶ際に表示装置の角部の近傍部分を強く把持することで、バックカバーの角部の近傍領域が表示装置の外側から外力を受けても、バックカバーが変形することを抑制できる。
【図面の簡単な説明】
【０００９】
【図１】本発明の一実施形態に係る表示装置を表示パネル側から見た斜視図である。
【図２】図１の表示装置をバックカバー側から見た分解斜視図である。
【図３】図１，２の表示装置の第一の要部をバックカバー側から見た拡大平面図である。
【図４】図３のIV−IV矢視断面図である。
【図５】図３のV−V矢視断面図である。
【図６】図１，２の表示装置の第一の要部を表示パネルの背面側から見た拡大斜視図である。
【図７】図１，２の表示装置の第二の要部をバックカバー側から見た拡大平面図である。
【図８】図７のVIII−VIII矢視断面図である。
【図９】図７のIX−IX矢視断面図である。
【図１０】図１，２の表示装置の第二の要部を表示パネルの背面側から見た拡大斜視図である。
【図１１】本発明の他の実施形態に係る表示装置をバックカバー側から見た概略平面図である。
【図１２】図１１のXII−XII矢視断面図である。
【発明を実施するための形態】
【００１０】
以下、図１〜１０を参照して本発明の一実施形態について説明する。
図１，２に示すように、本実施形態に係る表示装置１は、表示パネル２と、バックカバー３と、サイドベゼル４と、カバー支持部５と、を備える。また、本実施形態の表示装置１は、各種の電気部品６も備える。
【００１１】
表示パネル２は、表示パネル２をその厚さ方向から見た平面視で矩形状に形成され、前面に画像を表示するための表示面２ａを有する。表示パネル２は、例えば液晶ディスプレイパネルや有機ＥＬディスプレイパネル等、任意であってもよい。
【００１２】
電気部品６は、表示パネル２の背面２ｂ（前面と反対側の面）に配されている。電気部品６には、表示装置１の基本的な機能（画像表示の機能、音声出力の機能など）を制御するためのメイン基板６Ａ、自身を除く各種の電気部品６に電力を供給するための電源基板６Ｂ、音声を出力するためのスピーカ部６Ｃなどが含まれる。
本実施形態では、メイン基板６Ａ及び電源基板６Ｂが、表示パネル２の背面２ｂの中央領域に配されている。また、スピーカ部６Ｃは、表示パネル２の背面２ｂの周縁領域のうち角部の近傍領域に配されている。より具体的に、スピーカ部６Ｃは、表示パネル２の背面２ｂのうち右上及び左上の二つの角部の近傍領域に配されている。
【００１３】
バックカバー３は、表示パネル２に対応する平面視矩形状に形成され、表示パネル２の背面２ｂ側に配されている。バックカバー３は、表示パネル２の背面２ｂ、電気部品６、また、電気部品６、表示パネル２を相互に電気接続するための電気配線などを覆って、これらを保護する。
【００１４】
図２〜５，７〜９に示すように、本実施形態のバックカバー３は、平板状に形成された本体板部１１と、本体板部１１の周縁に一体に形成された周縁板部１２と、を有する。
本体板部１１は、表示パネル２よりも小さい平面視矩形状に形成されている。
【００１５】
周縁板部１２は、平面視矩形の環状に形成されている。周縁板部１２の外縁は、バックカバー３の周縁に対応する。周縁板部１２は、本体板部１１の周縁から離れるにしたがって表示パネル２側に近づくように傾斜している。このため、表示パネル２及びバックカバー３の配列方向（以下、表示装置１の厚さ方向と呼ぶ。）における表示装置１の周縁部分の厚みは、周縁板部１２の内縁から外縁に向かうにしたがって薄くなっている。また、本実施形態の周縁板部１２は、平面視で、本体板部１１の各角部から周縁板部１２の外縁の各角部まで延びる帯状板部１３を有する。
【００１６】
図２〜１０に示すように、サイドベゼル４は、表示パネル２に対応する平面視矩形の環状に形成され、表示パネル２の側面２ｃを覆う。
本実施形態のサイドベゼル４は、表示パネル２の側面２ｃを覆うベゼル本体２１と、ベゼル本体２１の内周から内側に延びるリアベゼル部２２と、を備える。バックカバー３は、平面視でベゼル本体２１の内側に配される。リアベゼル部２２は、表示パネル２の背面２ｂの周縁領域を覆う。リアベゼル部２２は、表示装置１の厚さ方向において、表示パネル２とバックカバー３との間に位置している。リアベゼル部２２の内縁は、バックカバー３の周縁板部１２の内縁よりも外側に位置している。リアベゼル部２２は、図４，８のように表示パネル２の背面２ｂから離れて位置する部位や、図５，９のように表示パネル２の背面２ｂに接触する部位を有する。
【００１７】
カバー支持部５は、表示パネル２とバックカバー３との間において、サイドベゼル４の角部の内側に一体に形成されている。カバー支持部５は、表示パネル２の背面２ｂに対向するバックカバー３の内面のうち、バックカバー３の角部の近傍領域に面接触して、バックカバー３の角部の近傍領域を支持する。
【００１８】
本実施形態において、カバー支持部５は、サイドベゼル４のリアベゼル部２２と一体に形成されている。
本実施形態において、カバー支持部５によって支持されるバックカバー３の角部の近傍領域には、前述したバックカバー３の帯状板部１３の長手方向の中途部が含まれている。また、カバー支持部５によって支持されるバックカバー３の角部の近傍領域には、バックカバー３の帯状板部１３の幅方向の両側に位置する周縁板部１２の他の部位も含まれている。
本実施形態のカバー支持部５は、サイドベゼル４の全ての角部の内側に設けられている。すなわち、本実施形態の表示装置１は、四つのカバー支持部５を備える。
【００１９】
本実施形態のカバー支持部５は、表示パネル２の背面２ｂにも接触する。すなわち、カバー支持部５は、表示パネル２とバックカバー３との間に挟み込まれる。
より具体的に、本実施形態のカバー支持部５は、図３〜１０に示すように、支持部本体３１と、支持脚３２と、を備える。
【００２０】
支持部本体３１は、バックカバー３の内面に面接触する接触面３３と、表示パネル２の背面２ｂに対向する対向面３４と、を有する。すなわち、支持部本体３１は、表示パネル２の背面２ｂに対して間隔をあけて配されている。
本実施形態の支持部本体３１は、板状に形成されている。すなわち、支持部本体３１の接触面３３及び対向面３４は、支持部本体３１の厚さ方向において互いに逆側に向いている。支持部本体３１の接触面３３は、バックカバー３の内面に対応する形状に形成されている。
【００２１】
支持脚３２は、支持部本体３１の対向面３４から表示パネル２の背面２ｂまで延びている。支持脚３２は、任意の形状に形成されてよいが、細長い柱状に形成されていることが好ましい。本実施形態の支持脚３２は、平面視十字の柱状に形成されている。また、本実施形態の支持脚３２は、その延長方向の先端に向かうにしたがって細くなっている。
また、本実施形態では、複数の支持脚３２が、平面視でサイドベゼル４の角部からサイドベゼル４の内側に向かう方向に、一列に並んでいる。また、本実施形態において、各支持脚３２は、平面視でバックカバー３の帯状板部１３の幅方向の中間部分と重なるように位置している。すなわち、複数の支持脚３２は、平面視で帯状板部１３の幅方向の中間線上、または中間線の近傍に位置している。
【００２２】
さらに、本実施形態のカバー支持部５では、支持部本体３１がサイドベゼル４の内縁に対して間隔をあけて配されている。その上で、本実施形態のカバー支持部５は、支持部本体３１からサイドベゼル４まで延びる接続腕３５を備える。
【００２３】
本実施形態においては、支持部本体３１が、平面視でリアベゼル部２２の内縁よりも内側に間隔をあけて配されている。このため、接続腕３５は、平面視でリアベゼル部２２の内縁から支持部本体３１まで内側に延びている。
また、本実施形態においては、支持部本体３１が、表示装置１の厚さ方向においてリアベゼル部２２よりも表示パネル２から離れて位置している。このため、接続腕３５は、リアベゼル部２２から支持部本体３１まで表示装置１の厚さ方向に延びている。
【００２４】
接続腕３５は、例えば、サイドベゼル４の内縁に対向する支持部本体３１の縁部全体をサイドベゼル４の内縁に接続するように形成されてもよい。本実施形態の接続腕３５は、サイドベゼル４の内縁に沿って互いに間隔をあけて複数（図示例では二つ）配列されている。
このため、隣り合う二つの接続腕３５，３５の間には、隙間３６が形成されている。言い換えれば、接続腕３５には通風口が形成されている。これにより、支持部本体３１と表示パネル２との間の空間が、上記の隙間３６（通風口）を通じて、外側（具体的には、リアベゼル部２２とバックカバー３との間の空間）につながっている。
【００２５】
本実施形態の表示装置１では、図２示すように、サイドベゼル４の右下や左下の角部の内側に配された第一カバー支持部５Ａと、サイドベゼル４の右上及び左上の角部の内側に配された第二カバー支持部５Ｂとで、一部形状が異なっている。
図２〜６に示すように第一カバー支持部５Ａと表示パネル２の背面２ｂとの間には、電気部品６等が介在していない。このため、第一カバー支持部５Ａの支持部本体３１は、孔のない板状に形成されている。また、第一カバー支持部５Ａの支持脚３２は、平面視した支持部本体３１の周縁部分だけでなく中央部分にも配されている。
【００２６】
一方、図２，７〜１０に示すように第二カバー支持部５Ｂと表示パネル２の背面２ｂとの間には、スピーカ部６Ｃが介在している。また、スピーカ部６Ｃからは、音声がバックカバー３側に向けて出力される。このため、第二カバー支持部５Ｂの支持部本体３１には、その厚さ方向に貫通する貫通孔３７が形成されている。また、第二カバー支持部５Ｂの支持脚３２は、貫通孔３７と干渉しないように、平面視した支持部本体３１の周縁部分にのみ配されている。
さらに、バックカバー３のうち第二カバー支持部５Ｂによって支持される部位（帯状板部１３）には、バックカバー３の厚さ方向に貫通する放音用孔１４が形成されている。バックカバー３の放音用孔１４は、第二カバー支持部５Ｂの支持部本体３１の貫通孔３７と重なるように位置している。また、バックカバー３の放音用孔１４は、第二カバー支持部５Ｂの貫通孔３７よりも小さいが、複数形成されている。
これにより、スピーカ部６Ｃから出力される音声は、支持部本体３１の貫通孔３７及びバックカバー３の放音用孔１４を通じて表示装置１の外側に伝播することができる。
【００２７】
次に、上記した表示装置１において、バックカバー３の一部を支持するカバー支持方法について説明する。
本実施形態のカバー支持方法では、図２〜１０に示すように、表示パネル２とバックカバー３との間においてサイドベゼル４の角部の内側に、カバー支持部５を一体に形成する。その上で、カバー支持部５を、表示パネル２の背面２ｂに対向するバックカバー３の内面のうち、バックカバー３の角部の近傍領域に面接触させる。これにより、バックカバー３の角部の近傍領域をカバー支持部５によって支持する。
【００２８】
以上説明したように、本実施形態の表示装置１及びカバー支持方法によれば、サイドベゼル４に一体に形成されたカバー支持部５が、バックカバー３の角部の近傍領域を支持する。これにより、作業者が表示装置１を持ち運ぶ際に表示装置１の角部の近傍部分を強く把持することで、バックカバー３の角部の近傍領域が表示装置１の外側から外力を受けても、バックカバー３が内側に凹むように変形することを抑制できる。
バックカバー３の変形を抑制できることで、バックカバー３が表示パネル２の背面２ｂ側に配された電気部品６に当たることを防ぐことができる。
【００２９】
また、本実施形態では、カバー支持部５が、表示パネル２の背面２ｂにも接触している。これにより、カバー支持部５が表示パネル２とバックカバー３との間に挟み込まれるため、カバー支持部５の変形（例えばサイドベゼル４に対するカバー支持部５の撓み変形）を防ぎ、バックカバー３を安定して支持できる。
【００３０】
また、本実施形態では、カバー支持部５が、バックカバー３の内面に接触する支持部本体３１と、支持部本体３１から表示パネル２の背面２ｂまで延びる支持脚３２と、を備える。このため、カバー支持部５とバックカバー３の内面との接触面積と比較して、カバー支持部５と表示パネル２の背面２ｂとの接触面積を小さくすることができる。すなわち、カバー支持部５の支持部本体３１によってバックカバー３を安定に支持しながら、支持脚３２によってカバー支持部５と表示パネル２の背面２ｂとの接触面積を小さくできる。
【００３１】
これにより、表示パネル２の背面２ｂと支持部本体３１との間の空間に空気を流すことができる。その結果、表示パネル２や、表示パネル２の背面２ｂ側に配された電気部品６において生じた熱によって、表示装置１内部（特に表示パネル２とバックカバー３との間の空間）の温度が上昇することを抑制できる。
【００３２】
また、表示パネル２の背面２ｂと支持部本体３１との間にスピーカ部６Ｃ等の電気部品６を配置することも可能となる。すなわち、カバー支持部５を設けることで表示パネル２の背面２ｂ側における電気部品６の配置領域が小さくなることを抑制できる。言い換えれば、カバー支持部５を設けても、表示パネル２の背面２ｂ側に電気部品６を有効に配置することができる。
【００３３】
また、本実施形態によれば、カバー支持部５の複数の支持脚３２が、平面視でサイドベゼル４の角部からサイドベゼル４の内側に向かう方向に、一列に並んでいる。これにより、複数の支持脚３２は、外力によって変形しやすいバックカバー３の帯状板部１３の幅方向の中間部分と重なるように位置している。したがって、バックカバー３の帯状板部１３が外力によって変形することを確実に防ぐことができる。
【００３４】
また、本実施形態のカバー支持部５では、支持部本体３１からサイドベゼル４まで延びる接続腕３５が、サイドベゼル４の内縁に沿って間隔をあけて複数配列されている。このため、支持部本体３１と表示パネル２との間の空間が、隣り合う二つの接続腕３５，３５の隙間３６（通風口）を通じて、外側（サイドベゼル４とバックカバー３との間の空間）につながる。これにより、支持部本体３１と表示パネル２との間の空間において空気がさらに流れやすくなる。その結果、表示パネル２や、表示パネル２の背面２ｂ側に配された電気部品６において生じた熱によって、表示装置１内部（特に表示パネル２とバックカバー３との間の空間）の温度が上昇することをさらに抑制できる。
【００３５】
以上、本発明に係る表示装置及びカバー支持方法の一実施形態について説明したが、本発明は上記の実施形態に限定されるものではなく、その趣旨を逸脱しない範囲において適宜変更可能である。
【００３６】
本発明において、カバー支持部５は、例えば支持脚３２や接続腕３５を備えず、図１１，１２に示すように支持部本体３１のみ備えてもよい。この場合、支持部本体３１は、サイドベゼル４の内縁に対して間隔をあけずに配されればよい。
【００３７】
本発明において、カバー支持部５は、例えば図１１，１２に示すように表示パネル２の背面２ｂに接触しなくてもよい。
【００３８】
本発明において、サイドベゼル４は、例えばリアベゼル部２２を備えず、図１１，１２に示すようにベゼル本体２１のみ備えてもよい。この場合、カバー支持部５は、ベゼル本体２１の内縁に一体に形成されればよい。
【００３９】
本発明において、バックカバー３は、例えば図１１，１２に示すように全体が平板状に形成されてもよい。
【００４０】
本発明は、平面視矩形状に限らず、平面視多角形状の表示パネルを備える表示装置に適用可能である。
【符号の説明】
【００４１】
１  表示装置
２  表示パネル
２ａ  表示面（前面）
２ｂ  背面
２ｃ  側面
３  バックカバー
４  サイドベゼル
５，５Ａ，５Ｂ  カバー支持部
６  電気部品
６Ｃ  スピーカ部
１１  本体板部
１２  周縁板部
１３  帯状板部
２１  ベゼル本体
２２  リアベゼル部
３１  支持部本体
３２  支持脚
３３  接触面
３４  対向面
３５  接続腕
３６  隙間（通風口）
【図１】
2018072360.tif 000003
【図２】
2018072360.tif 000004
【図３】
2018072360.tif 000005
【図４】
2018072360.tif 000006
【図５】
2018072360.tif 000007
【図６】
2018072360.tif 000008
【図７】
2018072360.tif 000009
【図８】
2018072360.tif 000010
【図９】
2018072360.tif 000011
【図１０】
2018072360.tif 000012
【図１１】
2018072360.tif 000013
【図１２】
2018072360.tif 000014